【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
遊技の進行を制御する主制御手段と、
複数のリールと、
所定数の範囲内において遊技価値を電気的に貯留可能な貯留手段と、
スタートスイッチと、
マックスベットスイッチと、
精算スイッチと、
操作可能な副操作部材と
を備え、
前記主制御手段は、
内部抽選を行う内部抽選手段
を備え、
前記副操作部材の操作を遊技者に対して促す演出として所定の操作演出を実行可能であり、
内部抽選手段によって特定結果が決定され得るよう構成されており、当該特定結果として、第１特定結果と第２特定結果とを少なくとも有しており、
所定の遊技状態であり、且つ前記所定の操作演出が実行されている状況において、前記副操作部材が操作された場合には、前記所定の操作演出の実行を終了し、特定演出を実行し得るよう構成されており、
前記所定の遊技状態であり、且つ自動ベットされておらず、且つ前記貯留手段に前記所定の遊技状態における最大のベット数である特定数以上の遊技価値が貯留されており、且つベット数が０であり、且つ前記所定の操作演出が実行されている状況において、前記マックスベットスイッチが操作された場合には、前記所定の操作演出の実行を終了し得るよう構成されており、
前記所定の遊技状態であり、且つ自動ベットされており、且つ前記所定の操作演出が実行されている状況において、前記マックスベットスイッチが操作された場合には、前記所定の操作演出の実行を継続し、前記特定演出を実行しないよう構成されており、
前記所定の遊技状態であり、且つ前記貯留手段に遊技価値が貯留されておらず、且つ前記所定の操作演出が実行されている状況において、前記マックスベットスイッチが操作された場合には、前記所定の操作演出の実行を継続し、前記特定演出を実行しないよう構成されており、
前記所定の遊技状態であり、且つ前記貯留手段に遊技価値が貯留されており、且つ前記所定の操作演出が実行されている状況において、前記精算スイッチが操作された場合には、前記所定の操作演出の実行を終了し得るよう構成されており、
内部抽選手段によって前記特定結果が決定された遊技において実行され得る、当該特定結果に関する演出である示唆演出を実行可能に構成されており、
前記示唆演出として、スタートスイッチの操作に基づいて実行が開始され得る第１示唆演出と、所定の停止操作がされたことに基づいて実行が開始され得る第２示唆演出と、を少なくとも有しており、
遊技者にとって有利な特別状態を有しており、
特別状態に移行する前には所定の確定画面を表示可能であり、
前記第１特定結果又は前記第２特定結果が決定された遊技においては、当該遊技が前記所定の確定画面が表示されている状況で実行された遊技である場合の方が、特定の遊技状態であり、且つ当該遊技が前記所定の確定画面が表示されていない所定の状況で実行された遊技である場合よりも、前記第１示唆演出が実行される確率が相対的に高いよう構成されており、
前記所定の確定画面が表示されている状況で実行された前記第１特定結果又は前記第２特定結果が決定された遊技にて実行可能な前記第１示唆演出の種類数よりも、前記特定の遊技状態であり、且つ前記所定の確定画面が表示されていない所定の状況で実行された前記第１特定結果又は前記第２特定結果が決定された遊技にて実行可能な前記第１示唆演出の種類数の方が多いよう構成されている
ことを特徴とする遊技機。
【手続補正２】
【補正対象書類名】明細書
【補正対象項目名】０００５
【補正方法】変更
【補正の内容】
【０００５】
本態様に係る遊技機は、
遊技の進行を制御する主制御手段と、
複数のリールと、
所定数の範囲内において遊技価値を電気的に貯留可能な貯留手段と、
スタートスイッチと、
マックスベットスイッチと、
精算スイッチと、
操作可能な副操作部材と
を備え、
前記主制御手段は、
内部抽選を行う内部抽選手段
を備え、
前記副操作部材の操作を遊技者に対して促す演出として所定の操作演出を実行可能であり、
内部抽選手段によって特定結果が決定され得るよう構成されており、当該特定結果として、第１特定結果と第２特定結果とを少なくとも有しており、
所定の遊技状態であり、且つ前記所定の操作演出が実行されている状況において、前記副操作部材が操作された場合には、前記所定の操作演出の実行を終了し、特定演出を実行し得るよう構成されており、
前記所定の遊技状態であり、且つ自動ベットされておらず、且つ前記貯留手段に前記所定の遊技状態における最大のベット数である特定数以上の遊技価値が貯留されており、且つベット数が０であり、且つ前記所定の操作演出が実行されている状況において、前記マックスベットスイッチが操作された場合には、前記所定の操作演出の実行を終了し得るよう構成されており、
前記所定の遊技状態であり、且つ自動ベットされており、且つ前記所定の操作演出が実行されている状況において、前記マックスベットスイッチが操作された場合には、前記所定の操作演出の実行を継続し、前記特定演出を実行しないよう構成されており、
前記所定の遊技状態であり、且つ前記貯留手段に遊技価値が貯留されておらず、且つ前記所定の操作演出が実行されている状況において、前記マックスベットスイッチが操作された場合には、前記所定の操作演出の実行を継続し、前記特定演出を実行しないよう構成されており、
前記所定の遊技状態であり、且つ前記貯留手段に遊技価値が貯留されており、且つ前記所定の操作演出が実行されている状況において、前記精算スイッチが操作された場合には、前記所定の操作演出の実行を終了し得るよう構成されており、
内部抽選手段によって前記特定結果が決定された遊技において実行され得る、当該特定結果に関する演出である示唆演出を実行可能に構成されており、
前記示唆演出として、スタートスイッチの操作に基づいて実行が開始され得る第１示唆演出と、所定の停止操作がされたことに基づいて実行が開始され得る第２示唆演出と、を少なくとも有しており、
遊技者にとって有利な特別状態を有しており、
特別状態に移行する前には所定の確定画面を表示可能であり、
前記第１特定結果又は前記第２特定結果が決定された遊技においては、当該遊技が前記所定の確定画面が表示されている状況で実行された遊技である場合の方が、特定の遊技状態であり、且つ当該遊技が前記所定の確定画面が表示されていない所定の状況で実行された遊技である場合よりも、前記第１示唆演出が実行される確率が相対的に高いよう構成されており、
前記所定の確定画面が表示されている状況で実行された前記第１特定結果又は前記第２特定結果が決定された遊技にて実行可能な前記第１示唆演出の種類数よりも、前記特定の遊技状態であり、且つ前記所定の確定画面が表示されていない所定の状況で実行された前記第１特定結果又は前記第２特定結果が決定された遊技にて実行可能な前記第１示唆演出の種類数の方が多いよう構成されている
ことを特徴とする遊技機である。
＜付記＞
尚、本態様とは異なる別態様について以下に列記しておくが、これらには何ら限定されることなく実施することが可能である。
本別態様に係る遊技機は、
遊技の進行を制御する主遊技部（例えば、主制御基板Ｍ）と、
演出を制御する副遊技部（例えば、副制御基板Ｓ）と
を備え、
遊技機に電力が供給開始されてから主遊技部のプログラムが起動するまでの時間は、電源断が発生してから遊技機への電力の供給が終了するまでの時間よりも長時間であるよう構成されており、
遊技機に電力が供給開始されてから主遊技部のプログラムが起動するまでの時間は、遊技機に電力が供給開始されてから副遊技部のプログラムが起動するまでの時間よりも長時間であるよう構成されている
ことを特徴とする遊技機である。